(57)【要約】【課題】空気調和機の操作ボタンに係わる防水機能を高めることである。【解決手段】プリント配線基板２１が本体ケーシング１０の中に収納されているが、操作ボタン１０ｅをプリント配線基板２１上のスイッチ２１ｃに接触させてスイッチ２１ｃを操作するために、本体ケーシング１０には操作ボタン１０ｅが取り付けられる開口部１０ｇが形成されている。このような本体ケーシング１０に、開口部１０ｇの周囲に隣接する環状凸部１０ｈ及び環状凸部１０ｈに沿った排水溝１０ｄが形成されている。【選択図】図１０
2015010802.tif 000002
【特許請求の範囲】
【請求項１】
電気回路（２１ｂ）及び前記電気回路の切り換えのためのスイッチ（２１ｃ）を有する配線基板（２１）と、
前記スイッチに接触して前記スイッチを操作するための操作ボタン（１０ｅ）と、
前記操作ボタンが配置される開口部（１０ｇ）、前記開口部周囲に隣接する環状凸部（１０ｈ）及び前記環状凸部に沿った排水溝（１０ｄ）が形成され、前記開口部の下に前記配線基板を収納する筐体（１０）と
を備える、空気調和機。
【請求項２】
前記環状凸部の側面の少なくとも一部と嵌合され、前記操作ボタン及び前記開口部を覆う断面逆Ｕ字型の防水カバー（２２２）をさらに備える、
請求項１に記載の空気調和機。
【請求項３】
前記筐体は、前記排水溝が前記筐体の側面にまで延びて前記筐体の前記側面に近づくにつれて低くなるように傾斜している、
請求項１又は請求項２に記載の空気調和機。
【請求項４】
前記筐体は、上部に斜めに傾斜した操作面（１０ｒ）を有し、前記開口部、前記環状凸部及び前記排水溝が前記操作面に形成され、前記環状凸部及び前記排水溝が前記操作面に平行か又はそれよりも急な角度で傾斜している、
請求項３に記載の空気調和機。
【請求項５】
前記防水カバーは、前記筐体に取り付けられた状態において前記排水溝に対応する箇所に排水口を形成するための切り欠き部（２２３）を有する、
請求項２に記載の空気調和機。
【発明の詳細な説明】
【技術分野】
【０００１】
本発明は、空気調和機、特に、スイッチを有する配線基板を備える空気調和機に関する。
【背景技術】
【０００２】
従来の空気調和機では、床置きタイプの空気清浄機など、筐体の上面に操作パネルが設けられているものがある。このような床置きタイプの場合には、床に置かれている空気清浄機に向かって操作者により上方から操作が行われる。例えば特許文献１（特開２００９−６８８２９号公報）に記載の空気清浄機にあっては、操作パネルを覆う開閉自在のカバーによって操作パネルが保護されている。そして、操作パネルの下方に制御部が設けられている。
【発明の概要】
【発明が解決しようとする課題】
【０００３】
ところで、特許文献１に記載されているカバーは、物理的な打撃などから操作パネルを保護する効果が高いものの、操作パネルに水が掛かったときの保護に関しては未だ改良の余地が残されている。操作パネルの下方の制御部に水が入ると制御部で不具合が発生する可能性があることから、防水機能は高ければ高いほど好ましいからである。
【０００４】
本発明の課題は、空気調和機の操作ボタンに係わる防水機能を高めることである。
【課題を解決するための手段】
【０００５】
本発明の第１観点に係る空気調和機は、電気回路及び電気回路の切り換えのためのスイッチを有する配線基板と、スイッチに接触してスイッチを操作するための操作ボタンと、操作ボタンが配置される開口部、開口部周囲に隣接する環状凸部及び環状凸部に沿った排水溝が形成され、開口部の下に配線基板を収納する筐体とを備える、ものである。
【０００６】
第１観点の空気調和機においては、操作ボタンが配置される開口部の周囲から排水溝によって水を排水できるので、環状凸部を乗り越えるほど開口部の周囲に水が溜まるのを防ぐことができる。
【０００７】
本発明の第２観点に係る空気調和機は、第１観点の空気調和機において、環状凸部の側面の少なくとも一部と嵌合され、操作ボタン及び開口部を覆う断面逆Ｕ字型の防水カバーをさらに備える、ものである。
【０００８】
第２観点の空気調和機においては、側面の水密に嵌合された部分からは水が入り難くなるとともに、防水カバーを被せるという簡単な構造のため、空気調和機の構造が簡単になり、また組み立てが容易になる。
【０００９】
本発明の第３観点に係る空気調和機は、第１観点又は第２観点の空気調和機において、筐体は、排水溝が筐体の側面にまで延びて筐体の側面に近づくにつれて低くなるように傾斜している、ように構成されている。
【００１０】
第３観点の空気調和機においては、排水溝が傾斜して筐体の側面まで延びているので、水を筐体の側面に沿って排水しやすくなる。
【００１１】
本発明の第４観点に係る空気調和機は、第３観点の空気調和機において、筐体は、上部に斜めに傾斜した操作面を有し、開口部、環状凸部及び排水溝が操作面に形成され、環状凸部及び排水溝が操作面に平行か又はそれよりも急な角度で傾斜している、ように構成されている。
【００１２】
第４観点の空気調和機においては、操作面が傾斜していることから操作がし易くなる反面溜まった水が開口部から浸入しやすくなるため、排水溝による排水の効果が顕著にあらわれる。
【００１３】
本発明の第５観点に係る空気調和機は、第２観点の空気調和機において、防水カバーは、筐体に取り付けられた状態において排水溝に対応する箇所に排水口を形成するための切り欠き部を有する、ように構成されている。
【００１４】
第５観点の空気調和機においては、防水カバーの切り欠き部で排水口がつくられるため、排水溝を設けるための筐体の構造が簡単になる。
【発明の効果】
【００１５】
本発明の第１観点に係る空気調和機では、排水溝によって操作ボタンに係わる防水機能を高めることができる。
【００１６】
本発明の第２観点に係る空気調和機では、構造が簡単になり、また組み立てが容易になるので、空気調和機を安価に提供できる。
【００１７】
本発明の第３観点に係る空気調和機では、傾斜した排水溝によって開口部の防水効果を向上させることができる。
【００１８】
本発明の第４観点に係る空気調和機では、操作面の傾斜している操作容易な空気調和機の操作ボタンに係わる防水機能を顕著に高めることができる。
【００１９】
本発明の第５観点に係る空気調和機では、排水溝を設けることによって筐体の構造が複雑化しないのでコストの上昇を抑制することができる。
【図面の簡単な説明】
【００２０】
【図１】本発明の一実施形態に係る空気清浄機の斜視図。
【図２】図１の空気清浄機の分解斜視図。
【図３】図１の空気清浄機のＩ−Ｉ線断面図。
【図４】図１の空気清浄機の操作パネルユニットを説明するための拡大斜視図。
【図５】図１の空気清浄機の操作パネルユニットを説明するための拡大斜視図。
【図６】図１の空気清浄機の操作パネルユニットを説明するための拡大斜視図。
【図７】図４の操作パネルユニットから一部防水カバーを外した状態を示す拡大斜視図。
【図８】図５の操作パネルユニットから一部防水カバーを外した状態を示す拡大斜視図。
【図９】図６の操作パネルユニットから一部防水カバーを外した状態を示す拡大斜視図。
【図１０】図５の操作パネルユニットのＩＩ−ＩＩ線断面図。
【図１１】図６の操作パネルユニットのＩＩＩ−ＩＩＩ線断面図。
【発明を実施するための形態】
【００２１】
以下、図面を参照しながら、本発明の一実施形態に係る空気調和機として除湿機能と加湿機能とを備える空気清浄機を例に挙げて説明する。以下の説明において、上、下、左、右、正面（前）、背面（後）といった方向を示す語句を用いているが、これらの方向は、特にことわりのない限り、図１に示す方向を意味する。
【００２２】
（１）空気清浄機の外観
図１は、空気清浄機の正面に向かって右斜め上から見た斜視図である。つまり、図１に記載されている空気清浄機１は、空気清浄機１を基準として、左正面上方から見られていることになる。図１に示されているように、空気清浄機１は、本体ケーシング１０と操作パネルユニット２０とを備えている。この空気清浄機１は、本体ケーシング１０の脚部１３を床面に置いて設置される床置きタイプである。
【００２３】
本体ケーシング１０には、吸込口１１と吹出口１２が設けられている。吸込口１１には、本体ケーシング１０の左側面に設けられている左側方吸込口１１ａと、本体ケーシング１０の右側面に設けられている右側方吸込口１１ｂとがある。
【００２４】
本体ケーシング１０は、上部の略中央で左右に延びる稜線１４を挟んで上部が正面側と背面側に向かって傾斜しており、上部正面側の傾斜面１０ｒに操作パネルユニット２０が設けられている。一方、本体ケーシング１０の上部背面側の傾斜部１０ｓに吹出口１２が設けられている。傾斜面１０ｒは、例えば水平面に対して３２度の角度で傾斜している。
【００２５】
空気清浄機１は、吸込口１１から吸込んだ室内空気を調和して吹出口１２から吹出す空気調和機である。この空気清浄機１には、例えば空気清浄モード、除湿モード及び加湿モードの運転モードが設定されており、操作パネルユニット２０の操作によって運転モードが切り換えられる。
【００２６】
（２）空気清浄機の内部構成
図２は、空気清浄機１の分解斜視図である。図３は、図１におけるＩ−Ｉ線断面図である。図２に示されているように、本体ケーシング１０は、前面パネル１０ａ、背面パネル１０ｂ及び底フレーム１０ｃを含んでいる。空気清浄機１は、これら前面パネル１０ａ、背面パネル１０ｂ及び底フレーム１０ｃに囲まれた空間内に、放電ユニット３１、ストリーマ放電ユニット３２、フィルタユニット４０、前フレーム５５、除湿フレーム５６、冷凍サイクルユニット６０、加湿ユニット７０、ファンユニット８０及び電装品ユニット９０を備えている。
【００２７】
２つの放電ユニット３１は、それぞれ左側方吸込口１１ａ及び右側方吸込口１１ｂに設けられている。これらの放電ユニット３１の内部においては、正極と負極電極間に発生する電位差によってコロナ放電を生じさせることができる。左側方吸込口１１ａ及び右側方吸込口１１ｂから取り込まれた空気は、放電ユニット３１を通過する。
【００２８】
前フレーム５５がフィルタユニット４０を前面パネル１０ａの背面側に収容しており、左側方吸込口１１ａ及び右側方吸込口１１ｂから取り込まれて放電ユニット３１を通過した空気は、フィルタユニット４０に導かれるように構成されている。図２に示されているフィルタユニット４０は、例えば、前から順に配置されるプレフィルタと集塵フィルタと脱臭フィルタとで構成される。このように構成されたときには、まず、プレフィルタによって大きな塵埃が取り除かれる。次に、集塵フィルタによって、放電ユニット３１によって帯電した微細な塵埃が取り除かれる。集塵フィルタを通過した空気が最後に活性炭などを含む脱臭フィルタを通過し、脱臭フィルタを通過する際にホルムアルデヒドや臭い成分などが分解され、或いは吸着される。
【００２９】
前フレーム５５の後部には除湿フレーム５６が設けられており、前フレーム５５と除湿フレーム５６との間に冷凍サイクルユニット６０が配置されている。冷凍サイクルユニット６０は、圧縮機６１、凝縮器６２、減圧機構（図示せず）及び蒸発器６３を順に冷媒が循環するように接続された冷媒回路を備えている。冷凍サイクルユニット６０は、除湿運転時に冷媒回路において行われる冷凍サイクルによって、蒸発器６３を用いて空気を露点以下に冷やし、蒸発器６３で結露した水分を除去することで除湿が行えるように構成されている。また、冷凍サイクルユニット６０は、蒸発器６３で結露した水分を溜めるための除湿タンク６５も備えている。
【００３０】
除湿フレーム５６の背面側に後フレーム５７が設けられて除湿フレーム５６と後フレーム５７の間には加湿ユニット７０が収容され、フィルタユニット４０と冷凍サイクルユニット６０を通過した空気が加湿ユニット７０に導かれるように構成されている。図２に示されているように、加湿ユニット７０は、加湿ロータ７１、貯留ケース７２及び水タンク７３を備えている。加湿運転時には、加湿ロータ７１の気化フィルタから水が気化することで加湿が行われる。加湿ロータ７１の気化フィルタへの水の供給は、水タンク７３から供給される水がいったん貯留ケース７２に溜められ、貯留ケース７２から行われる。
【００３１】
除湿フレーム５６の背面側には後フレーム５７が設けられており、後フレーム５７と背面パネル１０ｂとの間にファンユニット８０が収容されている。ファンユニット８０は、吹出口１２から吹出させる気流を発生し、吸込口１１から吸い込まれてフィルタユニット４０、冷凍サイクルユニット６０及び加湿ユニット７０を順に通過する空気の流れをつくる。
【００３２】
ファンユニット８０は、主に、ファンロータ８１と、ファンロータ８１を収容するスクロールケーシング８３と、ファンロータ８１を回転させるファンモータ８５とフラップ８６とからなるシロッコファンである。ファンロータ８１は、回転軸の前方延長上にある後フレーム５７のファンベルマウス５７ａから空気を吸い込み、径方向つまり吹出口１２が配置されている上方に向かって空気を吹き出す。このファンユニット８０は、ファンモータ８５の回転速度を切り替えることで風量を切り換えられる。
【００３３】
スクロールケーシング８３の上部には、吹出口１２に面して開口部８０ａが形成されており、開口部８０ａがファンユニット８０の吹出口として機能する。このファンユニット８０の開口部８０ａの上方には、フラップ８６が配置されている。フラップ８６が閉じた状態では、吹出口１２がフラップ８６で覆われている。フラップ８６は、フラップ用モータＭ１５（図５参照）により駆動され開閉動作及びスイング動作を行う。
【００３４】
（３）操作パネルユニット
図２に示されているように、操作パネルユニット２０は、プリント配線基板２１と操作パネルカバー２２と操作表示蓋２３とを備えている。プリント配線基板２１、操作パネルカバー２２及び操作表示蓋２３は、順に上へと重ねられている。最上部にある操作表示蓋２３は操作パネルカバー２２を覆う部材である。操作パネルユニット２０の操作を行うときには、操作表示蓋２３を開けて、操作パネルカバー２２を露出させる。操作表示蓋２３には表示用窓２３ａがあって、操作パネルカバー２２の表示が表示用窓２３ａを通して見られるようになっている。
【００３５】
図４乃至図６は操作パネルカバー２２の外観を説明するための拡大斜視図である。図４乃至図６には操作表示蓋２３が開いている状態が示されている。操作パネルカバー２２は、プリント配線基板２１を覆う部材であり、操作表示部２２ａ及び各種運転操作キー２２ｂ等が設けられている。プリント配線基板２１には、各種運転操作キー２２ｂ及び操作表示部２２ａ等に係わる信号処理を行うための電気部品が実装されている。例えば、操作表示部２２ａには、液晶表示装置２１ａを用いた表示が行われるため、プリント配線基板２１には液晶表示装置２１ａが実装されている。また、プリント配線基板２１には後述するスイッチや発光ダイオード（図示せず）やコントローラ（図示せず）などが実装されている。コントローラは、例えばＲＡＭ、ＲＯＭ及びＣＰＵなどを含むマイクロコンピュータで構成され、インターフェースを介して接続された空気清浄機１の各部の動作を制御する。
【００３６】
操作パネルカバー２２は、別体の平面状の防水カバー２２１と立体的な形状に加工されている防水カバー２２２とからなる。防水カバー２２１，２２２は、水分を透過させない樹脂やゴムなどの材料で形成されている。平面状の防水カバー２２１は、接着剤などによって本体ケーシング１０に貼付されている。防水カバー２２２は、本体ケーシング１０に嵌合されている。防水カバー２２２から本体ケーシング１０の前側面１０ａａに向かって延びている２本の溝は、排水溝１０ｄである。防水カバー２２２には、その前壁部２２５に切り欠き部２２３が設けられている。この切り欠き部２２３によって排水溝１０ｄに対応する箇所に排水口が形成されている。また、防水カバー２２２には、運転操作キー２２ｂを覆う膨出部２２４が形成されている。
【００３７】
図７乃至図９は、防水カバー２２２の下にある本体ケーシング１０の構造を説明するための拡大斜視図である。図７乃至図９には、防水カバー２２２が外された状態が示されている。本体ケーシング１０には、本体ケーシング１０と一体的に形成された操作ボタン１０ｅが設けられている。これら板バネ１０ｆと操作ボタン１０ｅは、本体ケーシング１０の射出成型時に本体ケーシング１０と一緒に成型される。操作ボタン１０ｅは、本体ケーシング１０の開口部１０ｇに板バネ１０ｆによって取り付けられている。この開口部１０ｇの周囲には環状凸部１０ｈが形成されている。中央部の操作ボタン１０ｅの周囲の環状凸部１０ｈに比べ、その左右にある操作ボタン１０ｅの周囲の環状凸部１０ｈはその左右にある凸部１０ｉに繋がっているため左右に延びて広い面積を有している。
【００３８】
図５のＩＩ−ＩＩ線断面が図１０に模式的に拡大して示され、図６のＩＩＩ−ＩＩＩ線断面が図１１に模式的に拡大して示されている。図１０に示されているように、防水カバー２２２は、断面逆Ｕ字型の形状を有している。この防水カバー２２２の前部と後部に延びる前壁部２２５及び後壁部２２６は、環状凸部１０ｈの前壁面１０ｈｂ及び後壁面１０ｈｃの前後に形成されている凹部１０ｊ，１０ｋに嵌り込んでいる。防水カバー２２２の裏側すなわち本体ケーシング１０の側には本体ケーシング１０の掛止部１０ｍに掛止される被掛止部２２７が形成されている。図１１に示されているように、被掛止部２２７の先端の爪の部分が掛止部１０ｍの下面に引っ掛かる。
【００３９】
このように被掛止部２２７が掛止部１０ｍに掛止されることにより、環状凸部１０ｈの後面１０ｈｂに防水カバー２２２の後壁部２２６の側面２２６ａが隙間なく密着するように嵌合され、環状凸部１０ｈの前面１０ｈａに防水カバー２２２の前壁部２２５の側面２２５ａが隙間なく密着するように嵌合されている。つまり、この後面１０ｈｂと側面２２６ａが水密に嵌合され、この前面１０ｈａと側面２２５ａが水密に嵌合されている。また、防水カバー２２２の前壁部２２５及び後壁部２２６の下端は、それぞれ凹部１０ｊ，１０ｋの底面に密着している。つまり、前壁部２２５の下端と凹部１０ｊが水密に嵌合され、後壁部２２６の下端と凹部１０ｋが水密に嵌合されている。そして、後壁部２２６の下端と凹部１０ｋの境界１０ｐにも隙間ができないように嵌め込まれている。そのため、例えば除湿タンク６５や水タンク７３の移動中に除湿タンク６５や水タンク７３から防水カバー２２２の上に水がこぼれても、上述の密着部分によって開口部１０ｇ内に水が浸入するのが防がれる。
【００４０】
これら凹部１０ｊ，１０ｋの底面に対して排水溝１０ｄの底面１０ｄａが同じ高さか或いは一段低く形成されている。このような構造のため、万一こぼれた水が凹部１０ｊ，１０ｋに浸入しても少量の水は速やかに排水溝１０ｄを通って排水されて凹部１０ｊ，１０ｋに溜まらないようになっており、凹部１０ｊ，１０ｋに溜まった水が開口部１０ｇ内に浸入することが防がれている。図１０に点線で示されているのが排水溝１０ｄの底面１０ｄａであり、図１１にその滑らかな底面１０ｄａが示されている。この底面１０ｄａの傾斜を見れば分かるように、排水溝１０ｄは、前面側に向かって傾斜している。例えば、傾斜面１０ｒが水平面に対して３２度で傾斜していれば、排水溝１０ｄの底面１０ｄａは水平面に対して３２度以上の角度で傾斜していることが好ましい。このように構成されている排水溝１０ｄに水が流れ込むと、傾斜した底面１０ｄａを流れて防水カバー２２２の切り欠き部２２３（排水口）から排出され、本体ケーシング１０の前側面１０ａａを伝って流れ落ちる。
【００４１】
（４）操作パネルユニットの操作
図１０及び図１１に示されているように、プリント配線基板２１の絶縁基板２１ｄの上には、回路パターンと電気部品などによって電気回路２１ｂが形成されている。そして、プリント配線基板２１の上に設けられているスイッチ２１ｃによって電気回路２１ｂの切り換えが行われる。この電気回路２１ｂの切り換えがプリント配線基板２１のコントローラに伝達され、空気清浄機１が操作される。
【００４２】
スイッチ２１ｃの直上に操作ボタン１０ｅが配置されており、操作ボタン１０ｅの直上に防水カバー２２２の膨出部２２４が配置されている。そのため、膨出部２２４が指で押されると、膨出部２２４が下方に変形して膨出部２２４によって操作ボタン１０ｅが押し下げられ、スイッチ２１ｃが操作ボタン１０ｅによって押されてスイッチ２１ｃが切り換わる。膨出部２２４から指が離れると、操作ボタン１０ｅが下に移動することで撓んでいた板バネ１０ｆが元に戻るため、操作ボタン１０ｅが上に移動してスイッチ２１ｃが元の状態に復帰して再びスイッチ２１ｃによる切り換えが可能な状態になる。また、操作ボタン１０ｅが元に戻る際に膨出部２２４が押し上げられて、膨出部２２４も元の状態に復帰する。
【００４３】
（５）特徴
（５−１）
上述のように、プリント配線基板２１（配線基板の例）が本体ケーシング１０（筐体の例）の中に収納されているが、操作ボタン１０ｅをプリント配線基板２１上のスイッチ２１ｃに接触させてスイッチ２１ｃを操作するために、本体ケーシング１０には操作ボタン１０ｅが取り付けられる開口部１０ｇが形成されている。このプリント配線基板２１には電気回路２１ｂ及び電気回路２１ｂの切り換えに用いられるスイッチ２１ｃがあるため、例えば除湿タンク６５や水タンク７３などの運搬時に水がこぼれて開口部１０ｇからそれらの水が浸入してプリント配線基板２１に水が掛かると故障が起きる可能性がある。しかし、開口部１０ｇの周囲に隣接する環状凸部１０ｈ及び環状凸部１０ｈに沿った排水溝１０ｄが形成されているので、開口部１０ｇの周囲から排水溝１０ｄによって水を排水でき、環状凸部１０ｈを乗り越えるほど開口部１０ｇの周囲に水が溜まるのを防ぐことができる。つまり、排水溝１０ｄによって操作ボタン１０ｅに係わる防水機能が向上しているということである。
【００４４】
（５−２）
図１０にも示されているように、防水カバー２２２（第２観点の空気調和機が備える防水カバーの例）は、断面逆Ｕ字型の形状を有している。このような防水カバー２２２が直接操作ボタン１０ｅ及び開口部１０ｇを覆っている。そして、図１０及び図１１に示されているように、環状凸部１０ｈの後面１０ｈｂに防水カバー２２２の後壁部２２６の側面２２６ａが隙間なく密着し、環状凸部１０ｈの前面１０ｈａに防水カバー２２２の前壁部２２５の側面２２５ａが隙間なく密着するようにして、防水カバー２２２と本体ケーシング１０の環状凸部１０ｈとが水密に嵌合されている。そのため本体ケーシング１０に防水カバー２２２を被せるという簡単な構造をとることができ、空気清浄機１の構造が簡単になり、また組み立てが容易になるので、空気清浄機１を安価に提供できる。また、前壁部２２５の下端と凹部１０ｊが水密に嵌合され、後壁部２２６の下端と凹部１０ｋが水密に嵌合され、後壁部２２６の下端と凹部１０ｋの境界１０ｐにも隙間ができないように嵌め込まれていることから、さらに防水機能が高くなっている。
【００４５】
（５−３）
本体ケーシング１０の排水溝１０ｄは、本体ケーシング１０の前側面１０ａａ（筐体の側面の例）にまで延びて前側面ａａに近づくにつれて低くなるように排水溝１０ｄの底面１０ｄａが傾斜している。このように排水溝１０ｄが傾斜して本体ケーシング１０の前側面１０ａａまで延びているので、水を本体ケーシング１０の前側面１０ａａに沿って排水しやすくなり、開口部１０ｇの防水効果ひいては操作ボタン１０ｅに係わる防水効果を向上させることができる。
【００４６】
（５−４）
本体ケーシング１０は、上部に斜めに傾斜した傾斜面１０ｒ（操作面の例）を有している。上述の開口部１０ｇ、環状凸部１０ｈ及び排水溝１０ｄが傾斜面１０ｒに形成され、環状凸部１０ｈ及び排水溝１０ｄが傾斜面１０ｒに平行か又はそれよりも急な角度で傾斜している。このように傾斜している傾斜面１０ｒに操作パネルユニット２０が取り付けられていることから操作がし易くなる反面溜まった水が開口部１０ｇから浸入しやすくなるが、傾斜面１０ｒに平行か又はそれよりも急な角度で傾斜している排水溝１０ｄで十分に排水を行うことができる。
【００４７】
（５−５）
防水カバー２２２の切り欠き部２２３は、防水カバー２２２が本体ケーシング１０に取り付けられた状態において排水溝１０ｄに対応する箇所に排水口を形成するための構造である。このように防水カバー２２２の切り欠き部２２３で排水口がつくられると排水溝１０ｄを設けるための本体ケーシング１０の構造が簡単になる。例えば、本体ケーシング１０に排水口のための穴の形成が不要になる。そのため、排水溝１０ｄを設けることによって本体ケーシング１０の構造が複雑化しないのでコストの上昇を抑制することができる。
【００４８】
（６）変形例
（６−１）変形例１Ａ
上記実施形態では、空気調和機として空気清浄機１を例に挙げて説明しているが、空気調和機は加湿、除湿、冷房及び暖房などの空気調和機能を備えているものであればよい。
【００４９】
（６−２）変形例１Ｂ
上記実施形態では、プリント配線基板２１は、操作ボタン１０ｅが上下する方向に対してほぼ垂直な方向に延びるように配置されているが、プリント配線基板２１は例えば上下方向に延びるように配置されてもよい。操作ボタン１０ｅとスイッチ２１ｃとが係合するように配置されればよいので、プリント配線基板２１が配置される方向は上記実施形態の方向に限定されるものではない。
【００５０】
（６−３）変形例１Ｃ
上記実施形態では、防水カバー２２２が被せられていない状態では、開口部１０ｇが開いている状態であるが、開口部１０ｇが別部材で塞がれていてもよく、そのような場合でも上記実施形態のように排水溝を設けることにより別部材の隙間から開口部１０ｇに水が浸入するのをさらに抑制することができ、排水溝を設けない場合に比べて防水機能が向上する。
【符号の説明】
【００５１】
１  空気清浄機
１０  本体ケーシング
１０ｄ  排水溝
１０ｅ  操作ボタン
１０ｇ  開口部
１０ｈ  環状凸部
２０  操作パネルユニット
２１  プリント配線基板
２１ｂ  電気回路
２１ｃ  スイッチ
２２２  防水カバー
２２３  切り欠き部
【先行技術文献】
【特許文献】
【００５２】
【特許文献１】特開２００９−６８８２９号公報
【図１】
2015010802.tif 000003
【図２】
2015010802.tif 000004
【図３】
2015010802.tif 000005
【図４】
2015010802.tif 000006
【図５】
2015010802.tif 000007
【図６】
2015010802.tif 000008
【図７】
2015010802.tif 000009
【図８】
2015010802.tif 000010
【図９】
2015010802.tif 000011
【図１０】
2015010802.tif 000012
【図１１】
2015010802.tif 000013